(57)【要約】【課題】腰を有し、また装飾的効果を発揮できるヘッダ部を容易に製造することができるようにした食品用包装袋の製造方法を提供する。【解決手段】帯状の表側シート１と裏側シート２とが同一方向に繰り出され、重ね合わされた状態でほぼコ字形に溶断シールされ、封止されている一端縁側のシール部１４からヘッダ部１０ｄが突出している食品用包装袋の製造方法であって、表側シート１のヘッダ部１０ｄとなる部位に、補強フィルム片３０を貼付する。補強フィルム片３０は、両シート１，２を溶断シールする前に貼付する。また、補強フィルム片３０の内側縁３２が前記シール部１４に貼付されるようにする。【選択図】  図３
2004314973.tif 000002
【特許請求の範囲】
【請求項１】
上下に重ね合わされて繰り出される２枚のシートを、所定形状に溶断シールする工程、並びに一端側のシール部をシールしてヘッダ部を形成する工程を備えている食品用包装袋の製造方法であって、
少なくとも前記一方のシートのヘッダ部となる部位に、補強フィルム片を貼付する工程をさらに備えていることを特徴とする食品用包装袋の製造方法。
【請求項２】
前記補強フィルム片は、前記２枚のシートを溶断シールする前に貼付されることを特徴とする請求項１に記載の食品用包装袋の製造方法。
【請求項３】
前記シートは、前記ヘッダ部と他端側の開口部とが交互に連続し、かつハ字形と逆ハ字形とが交互に並ぶようにシールされ、
前記補強フィルム片は、前記シートの両側縁に沿って繰り出される２本の補強フィルム帯が前記ヘッダ部の長さとほぼ同じ長さに切断されることによって形成されて前記ヘッダ部となる部位に貼付されることを特徴とする請求項１または２に記載の食品用包装袋の製造方法。
【請求項４】
前記補強フィルム片は、前記開口部に入り込む大きさに形成され、しかも、この補強フィルム片の両端部が入り込んだ開口部の両角部を切除する工程をさらに加えることを特徴とする請求項３に記載の食品用包装袋の製造方法。
【請求項５】
前記補強フィルム片の内側縁が前記シール部に貼付されることを特徴とする請求項１から４のいずれか一つに記載の食品用包装袋の製造方法。
【発明の詳細な説明】
【０００１】
【発明の属する技術分野】
本発明は、サンドイッチやカステラなどの食品（以下、「サンドイッチ」という。）を包装する食品用包装袋の製造方法に関し、特に、突片状に突出しているために摘むことができ、また商標などが表示されるヘッダ部を備えた食品用包装袋の製造方法に関する。
【０００２】
【従来の技術】
直角三角形のサンドイッチは、例えば図５ないし図７に示すような食品用包装袋に包装されて販売されている。この食品用包装袋は、図５に示すように、重ね合わされている台形状の透明な表フィルム１１および裏フィルム１２の両側縁１１ａ，１２ａがシールされ、幅の狭い一端（以下、「上端」という。）が突片状に突出しているヘッダ部１０ｄとされ、幅の広い他端（以下、「下端」という。）がサンドイッチＳ（図６参照）の挿入口となる開口部１３とされた袋本体１０を中心に構成されている。
【０００３】
そして、開口部１３を開口しやすいようにするため、表フィルム１１が裏フィルム１２よりも短く形成され、裏フィルム１２の下端が表フィルム１１の下端よりも突出するようにされ（図５では、裏フィルム１２を表フィルム１１の上に重ねて描いてある。）、あるいは、裏フィルム１２が表フィルム１１よりも短く形成されている。
【０００４】
また、ヘッダ部１０ｄの下端は、帯状のシール部１４によって、表裏フィルム１１，１２が封止されている。したがって、ヘッダ部１０ｄの部分において、表フィルム１１の突片１１ｄと裏フィルム１２の突片１２ｄとは、重ね合わされ、周囲がシールされた状態となっている。このヘッダ部１０ｄには、装飾模様や商標などが付されている。
【０００５】
そして、裏フィルム１２の突片１２ｄには、例えば逆Ｕ字形の切込線１６が入れられ、切込線１６の内側が摘み上げることのできる舌片状の摘み片１７とされている。なお、切込線１６の両端部はシール部１４内に設けられてもよい。
【０００６】
さらに、裏フィルム１２の内面には、摘み片１７からシール部１４を交差して開口部１３付近まで、裏フィルム１２を引き裂くための細い帯状の切断手段（以下、「カットテープ」という。）１９が貼着されている。
【０００７】
一方、表フィルム１１の内面の中央には、内フィルム４０が貼着されており、例えばゆで卵とマヨネーズなどをミックスした具材のサンドイッチが袋本体１０内に収納されても、この具材が内フィルム４０に付着することにより、表フィルム１１が汚れることなく、外観が損なわれないようにされている。
【０００８】
このような袋本体１０を構成している表フィルム１１と裏フィルム１２および内フィルム４０は、低コストで通気性の低い食品包装用のプラスチックフィルム、例えばポリプロピレンなどが使用され、開封性や経済性などの観点から２０〜３０μｍの厚さとされている。
【０００９】
そして、重ね合わされた表フィルム１１と裏フィルム１２は、図６に示すように開口部１３が長方形状に開口されることにより、袋本体１０には、裏フィルム１２および表フィルム１１の各側縁１１ａ，１２ａに跨った三角形状の部分が一対の対向する側面Ａとなり、裏フィルム１２の中間部分が長方形状の取出し面Ｂとなり、そして表フィルム１１の中間部分が長方形状の正面Ｃとなり、袋本体１０内に空間１０ａが形成される。この空間１０ａ内にサンドイッチＳが収納されると、三角形状に切られた外側のパンが側面Ａと接合し、切り口が取出し面Ｂと正面Ｃに接合する。
【００１０】
そして、開口部１３側の表フィルム１１と裏フィルム１２は、図７に示すように折り込まれて底部１０ｅとされ、この底部１０ｅは粘着テープ（図示せず）などによって封緘され、サンドイッチＳが包装される。
【００１１】
包装されたサンドイッチＳを食するには、片方の手の指でヘッダ部１０ｄを摘み、他方の手の指で裏フィルム１２の突片１２ｄに設けられた摘み片１７を摘んで真っ直ぐ下方向へ引っ張る。すると、カットテープ１９が裏フィルム１２のシール部１４を裁断し、さらに真っ直ぐ下方向に引っ張ることにより、裏フィルム１２を下方へ引き裂く。裏フィルム１２が底部１０ｅの方まで引き裂かれることにより、食品用包装袋は開封され、サンドイッチＳを取り出すことができる。
【００１２】
なお、ヘッダ部が腰を生じるように、ヘッダ部の周囲をシールして、両突片を一体化したサンドイッチ等食品の包装用袋が特許文献１に開示されている。
【００１３】
【特許文献１】
実開平６−１６２４４号公報
【００１４】
【発明が解決しようとする課題】
特許文献１には、周囲がシールされたヘッダ部の両突片間の隙間内に手拭きとして使用するティッシュペーパを収納したサンドイッチ等食品の包装用袋も開示されている。このティッシュペーパは、摘み片が摘み上げられ、切込線の内側に形成される開口部から摘み出せるようにされている。
【００１５】
そして、このティッシュペーパは、ヘッダ部の隙間内に収納されることによって芯地のように作用し、サンドイッチを包装した食品用包装袋が搬送ないし陳列されるまでのさまざまな段階において、ヘッダ部が摘まれたりしても、ヘッダ部が萎（な）えにくいようにすることができる。
【００１６】
しかし、食品用包装袋は通常、上下に重ね合わされて繰り出される２枚のシートが流れ作業によって溶断シールすることによって製造されるため、ティッシュペーパをヘッダ部の隙間内に収納することは、ティッシュペーパが紙製でヘッダ部がプラスチック製で、両者の材質が異なることから困難ないしコストアップの一因となる。また、ヘッダ部の隙間内に収納されたティッシュペーパは、突片にシールされていないことから、ヘッダ部に腰を生じさせるように作用するものではない。
【００１７】
さらに、ヘッダ部は、購買者の視覚に訴える装飾模様や商標などが付されているが、特に表フィルムの突片が透明である場合に、ヘッダ部に収納されたティッシュペーパによっては、装飾的効果を発揮することが困難である。
【００１８】
そこで、本発明は、腰を有し、また装飾的効果を発揮できるヘッダ部を容易に製造することができるようにした食品用包装袋の製造方法を提供することを課題とする。
【００１９】
【課題を解決するための手段】
本発明に係る食品用包装袋の製造方法は、上下に重ね合わされて繰り出される２枚のシートを、所定形状に溶断シールする工程、並びに一端側のシール部をシールしてヘッダ部を形成する工程を備えている食品用包装袋の製造方法であって、少なくとも前記一方のシートのヘッダ部となる部位に、補強フィルム片を貼付する工程をさらに備えていることを特徴としている。
【００２０】
この食品用包装袋の製造方法によれば、少なくとも一方のシートのヘッダ部となる部位に補強フィルム片が貼付されることにより、両方のシートとが重ね合わされ、溶断シールされて製造される食品用包装袋は、補強フィルムによって萎えにくいヘッダ部を備えたものとなる。そして、補強フィルム片がシートと同じ材質とすれば、ポイントシールや接着剤などによって補強フィルム片をシートに容易に貼付することができる。
【００２１】
また、前記食品用包装袋の製造方法において、前記補強フィルム片は、前記２枚のシートを溶断シールする前に貼付されることが好ましい。
【００２２】
この食品用包装袋の製造方法によれば、補強フィルム片が一方のシートのヘッダ部となる部位に貼付された後に、重ね合わされた２枚のシートが溶断シールされることにより、補強フィルム片は、ヘッダ部内に収納され、外観を良好にし、また剥がれにくいようにすることができる。また、補強フィルム片を貼付したシートは、ロール状に巻かれた状態で保管しておくこともできる。
【００２３】
また、前記食品用包装袋の製造方法において、前記シートは、前記ヘッダ部と他端側の開口部とが交互に連続し、かつハ字形と逆ハ字形とが交互に並ぶようにシールされ、前記補強フィルム片は、前記シートの両側縁に沿って繰り出される２本の補強フィルム帯が前記ヘッダ部の長さとほぼ同じ長さに切断されることによって形成されて前記ヘッダ部となる部位に貼付されることが好ましい。
【００２４】
この食品用包装袋の製造方法によれば、ヘッダ部と開口部とが交互に連続し、かつ２枚のシートがハ字形と逆ハ字形とに隣り合うように溶断シールされ、そしてシートの両側縁に沿って繰り出されるフィルム帯が、ヘッダ部の長さとほぼ同じ長さで切断されることによって補強フィルム片が形成されることにより、この補強フィルム片をシートに効率的に貼付することができる。
【００２５】
また、前記食品用包装袋の製造方法において、前記補強フィルム片は、前記開口部に入り込む大きさに形成され、しかも、この補強フィルム片の両端部が入り込んだ開口部の両角部を切除する工程をさらに加えることが好ましい。
【００２６】
この食品用包装袋の製造方法によれば、補強フィルム片がヘッダ部の両側縁で溶断シールされることにより、補強フィルム片がヘッダ部と同一形状となるため、補強フィルム片はヘッダ部を全面で装飾できるようになるとともに、補強フィルム片の両側縁がシールされないで、２枚のシートだけが溶断シールされたヘッダ部よりも腰を強くすることができる。また、隣接している開口部内に入り込んだ補強フィルム片は、当該部分が切除されることにより、補強フィルム片が着色されていても、外観を損ねないようにすることができるとともに、食品用包装袋内に食品を収容し、開口部側を折り込んで封緘するときに、補強フィルム片が折り込まれることがないため、折り込みやすく、さらに、開口部からブロアーで空気を送り込み、重なり合っている２枚のフィルムを引き離し、空間を形成するときに、溶断シールされた開口部側が開裂しないようにすることができる。
【００２７】
また、前記食品用包装袋の製造方法において、前記補強フィルム片の内側縁が前記シール部に貼付されることが好ましい。
【００２８】
この食品用包装袋の製造方法によれば、補強フィルム片の内側縁がシール部に貼付されることにより、補強フィルム片は内側縁の部分で折れ曲がりにくいようになり、ヘッダ部の腰を一層強くすることができる。
【００２９】
【発明の実施の形態】
本発明に係る食品用包装袋の製造方法の一実施形態を図１ないし図４を参照しながら説明する。ただし、従来と同一部分は、同一符号を付して説明する。
【００３０】
本実施形態によって製造された食品用包装袋は、図４に示すように、三方がほぼコ字形にシールされた袋本体１０のヘッダ部１０ｄに補強フィルム片３０が貼付されていることを特徴としている。補強フィルム片３０は、例えば表フィルム１１および／または裏フィルム１２にポイントシールや接着剤などによって貼付することができる同じ材質、例えばプラスチックフィルムで製造されている。
【００３１】
そして、補強フィルム片３０には装飾模様や商標などが表示される。したがって、袋本体１０はサンドイッチＳの種類と関係なく共通のデザインとし、サンドイッチＳの種類に応じて補強フィルム片３０のデザインを変更することもできる。すなわち、サンドイッチＳの種類が変更されても、袋本体１０のデザインは変更しないで生産の合理化を図り、そして、デザインが変更された補強フィルム片３０によってサンドイッチの種類を表示することもできる。
【００３２】
ここで、本実施形態の食品用包装袋の製造方法について説明する。図１に示すように、食品用包装袋は、ロール状に巻かれたシートが半分に折り曲げられ、その折曲げ部で切断されることによって重ね合わされた状態となる２枚の帯状の表側シート１と裏側シート２が同一方向に繰り出されて間歇的に搬送され、下流側のポジションＺにおいて接合し、製袋装置２０によって溶断シールされる。
【００３３】
製袋装置２０は図２に示すように、ポジションＺの上流側に配備された端部用ヒータ２１，２２や、下流側に配備されたヒータ兼カッター２３，２４、ポイントシール用ヒータ、カッター（ともに図示せず）などから構成されている。端部用ヒータ２１，２２は、ヘッダ部１０ｄの幅で二字形に配置されて昇降動し、下降したときに袋本体１０のヘッダ部１０ｄの上端縁とシール部１４とをシールする。また、一度の昇降動によって２袋分のシールをすることができるように、搬送方向に１袋分の間隔だけずれて、二組の端部用ヒータ２１，２２が配置されている。
【００３４】
一方、ヒータ兼カッター２３，２４は、ハ字形に配置されて昇降動し、重なり合った状態で間歇送りされている両シート１，２を溶断シールする。ヒータ兼カッター３３，３４の狭い方は袋本体１０のヘッダ部１０ｄに対応し、広い方は開口部１３に対応している。両シート１，２が２袋分のピッチで間歇的に搬送されることにより、次々と１袋分のピッチをあけてハ字形（図２においては逆ハ字形）に溶断シールされる。
【００３５】
したがって、すでにハ字形（図２においては逆ハ字形）に溶断シールされて、下流側に間歇的に搬送されている台形状の袋本体１０Ｘと、現在、下降したヒータ兼カッター２３，２４によって形成された台形状の袋本体１０Ｚとの間に、逆向きの台形状の袋本体１０Ｙが製造される。
【００３６】
このようにして袋本体１０が製造されるため、補強フィルム片３０は、図１に示すように表側シート１の両側縁に沿って、かつ表側シート１の搬送方向と同一方向に繰り出される２本の帯状の補強フィルム帯３，３が切断されてヘッダ部１０ｄに貼付される。補強フィルム片３０は、表フィルム１１の内面に貼付するため、前記ポジションＺよりも上流側で表側シート１が蛇行して、表側シート１の内面が上向きとなるポジションＹにおいて、補強フィルム片３０をポイントシールや接着剤などによって上側から貼付する。
【００３７】
また、表側シート１の両側縁には、ヘッダ部１０ｄと開口部１３とが交互に連続するように設けられるため、補強フィルム帯３は図３に示すように、ヘッダ部１０ｄの長さで切断し、ヘッダ部１０ｄの部位でのみポイントシールするようにされている。
【００３８】
ただし、補強フィルム帯３は、ヘッダ部１０ｄの長さよりも若干長く、切断された補強フィルム片３０の両端部３１，３１が両側の開口部１３，１３内に若干入り込むようにすることが好ましい。このようにすることにより、前記ヒータ兼カッター２３，２４が重ね合わされている表側シート１と裏側シート２とを溶断シールするときに、補強フィルム片３０の両端部３１，３１が表裏フィルム１１，１２の側縁１１ａ，１２ａとともにシールされ、補強フィルム片３０によってもヘッダ部１０ｄが腰を有するようにすることができる。
【００３９】
さらに、補強フィルム帯３の幅は、ヘッダ部１０ｄの幅と同じとし、補強フィルム片３０の内側縁３２がシール部１４にて一体的にシールされるようにすることが好ましい。このようにすることにより、補強フィルム片３０が内側縁３２で腰を有するようになり、折れ曲がりにくいようにすることができる。
【００４０】
また、表フィルム１１の内面には内フィルム４０が貼付されるため、このポジションＹにおいて、内フィルム帯４が前記２本の補強フィルム帯３，３間に配置され、所定の長さごとに切断された内フィルム４０を、例えばポイントシールによって表側シート１の内面に上側から貼付する。このように補強フィルム片３０と内フィルム４０とを同じポジションＹにおいて貼付することにより、効率的に食品用包装袋を製造することができる。
【００４１】
次に、補強フィルム片３０と内フィルム４０とが貼付された表側シート１は、蛇行して前記製袋装置２０が配置されたポジションＺの方へ間歇的に搬送される。このとき、補強フィルム片３０と内フィル４０とは下向きとなるが、両者３０，４０はポイントシールによって表側シート１に貼付されているため、表側シート１から脱落することなく裏側シート２の内面と接合する。
【００４２】
他方、裏側シート２の内面には、カットテープ１９が貼着される。裏側シート２の内面は上向きとなって間歇的に搬送されるため、裏側シート２は蛇行することなく、ポジションＸにおいてカットテープ１９が貼着される。なお、図１においては、ポジションＸがポジションＹよりも上流側に位置するように描かれているが、この位置関係は逆となってもよい。
【００４３】
このように補強フィルム片３０および内フィルム４０を貼付した表側シート１とカットテープ１９を貼着した裏側シート２とが、ポジションＺにおいて製袋装置２０によって溶断シールされた後、別工程で図４に示すように、表裏フィルム１１，１２の開口部１３で補強フィルム片３０が入り込んでいる両角部１３ａ，１３ａを切除し、切欠き部１３ｂ，１３ｂを形成すると、食品包装用袋が完成する。補強フィルム片３０が切除されることにより、補強フィルム片３０に装飾模様などが付されていても、その装飾模様が底部に露出することなく、外観を損ねないようにすることができる。
【００４４】
そして、この食品包装用袋内にサンドイッチＳ（図６参照）を包装するため、袋本体１０の開口部１３からブロアーで空気を送り込む。このとき、開口部１３の両側には、切欠き部１３ｂ，１３ｂが形成されているため、溶断シールされた表裏フィルム１１，１２の開口部１３付近が開裂することなく、開口部１３が長方形状に開口し、表裏フィルム１１，１２間に空間１０ａ（図６参照）が形成される。
【００４５】
そして、この空間１０ａ内にサンドイッチを収容し、表裏フィルム１１，１２の開口部１３側を折り込む。このとき、開口部１３の両角部１３ａ，１３ａに切欠き部１３ｂ，１３ｂが形成され、補強フィルム片３０が切除されており、補強フィルム片３０によって折り込むフィルムの枚数が従来よりも増加していないため、サンドイッチを包装した食品包装袋の底部１０ｅ（図７参照）は、容易に折り込まれて粘着テープ（図示せず）などによって封緘される。
【００４６】
このようにサンドイッチを包装した食品用包装袋は、ヘッダ部１０ｄ内に補強フィルム片３０が収納されているため、搬送ないし陳列されるまでのさまざまな段階においてヘッダ部１０ｄが摘まれても萎えることがなく、外観が良好な状態で販売することができる。
【００４７】
しかも、補強フィルム片３０によってヘッダ部１０ｄは、腰を有しているため、起立した状態が維持され、ヘッダ部１０ｄに表示された装飾模様や商標などは見やすく、購買者の目につくようにすることができる。
【００４８】
なお、本発明は、前記の発明の実施形態に限定することなく、特許請求の範囲に記載した技術的事項の範囲内において種々変更することができる。例えば、補強フィルム片３０を貼付した表側シート１は、前記のように連続して裏側シート２と重ね合わされ、製袋装置２０によって溶断シールされることなく、ロール状に巻きつけ、保管しておいてもよい。
【００４９】
また、補強フィルム片３０は、裏側シート２に貼付してもよく、この場合は例えばポジションＸにおいて裏側シート２にカットテープ１９を貼着し、切込線１６を入れた後に貼着するようにしてもよい。さらに、補強フィルム片３０は、ポジションＹまたはポジションＸにおいて繰り出される補強フィルム帯３を切断するのではなく、予め切断された補強フィルム片３０を表側シート１または裏側シート２の貼付するようにしてもよい。
【００５０】
また、補強フィルム片３０は、ヘッダ部１０ｄの内側に収納するのではなく、外側に露出するようにしてもよい。この場合、補強フィルム片３０は全面でヘッダ部１０ｄに貼り付けられるようにすることが好ましく、また製袋装置２０によって２枚のシート１，２が溶断シールされた後に貼り付けるようにすることもできる。このように補強フィルム片３０がヘッダ部１０ｄの外側に露出するようにしても、ヘッダ部１０ｄの内側に収納される場合と同様の効果が得られることは明白である。
【００５１】
【発明の効果】
本発明によれば、一方のシートのヘッダ部となる部位に、補強フィルム片を貼付することにより、ヘッダ部が、腰を有し、起立した状態が維持されるため、装飾的効果を発揮できるようにすることができる。したがって、この食品用包装袋に包装された食品は、購買者に購買意欲を起こさせ、売上の増加に寄与することができるようになる。また、本発明は従来の生産ラインを利用することができるため、本発明によって製造された食品用包装袋のコストがアップするといった不都合も生じない。
【図面の簡単な説明】
【図１】本発明の一実施形態であって食品用包装袋の製造方法の全体の流れを示す概略図
【図２】本発明の一実施形態であって食品用包装袋を製造している最終の段階を示す概略斜視図
【図３】本発明の一実施形態であって食品用包装袋を製造している途中の段階を示す概略斜視図
【図４】本発明の一実施形態であって食品用包装袋を製造している最終の段階を示す平面図
【図５】食品用包装袋の正面図
【図６】食品用包装袋がサンドイッチを包装している途中の状態の斜視図
【図７】サンドイッチを包装した食品用包装袋が開封される途中の状態の斜視図
【符号の説明】
１……（表側）シート
２……（裏側）シート
３……補強フィルム帯
１０ｄ…ヘッダ部
１３……開口部
１３ａ…角部
３０……補強フィルム片
３１……端部
３２……内側縁
【図１】
2004314973.tif 000003
【図２】
2004314973.tif 000004
【図３】
2004314973.tif 000005
【図４】
2004314973.tif 000006
【図５】
2004314973.tif 000007
【図６】
2004314973.tif 000008
【図７】
2004314973.tif 000009